(57)【要約】【課題】  従来の空気調和機用室外機ユニットでは、送風ファンの外周部および上流側に上部側ファンケーシングの前壁面および後壁面が送風ファンの外径と近接して配置され、しかも上記前壁面は上記送風ファンの上流側の全周に空気の吸込み口が無い盲壁構造に形成されていることから、空気吸込み流量が周方向に偏流する。  そして、それにより吸込み流量が不足する部分において、上記送風ファンの翼面近傍の乱れが増大して、翼面圧力変動が増大し、周方向に局所的に騒音が増大し、特にＮＺ音が増大するという問題があった。これを有効に解決する。【解決手段】  送風ファン４の空気吸込み流量が不足する送風ファンケーシング１Ｂ部分において、送風ファン４の側方部に位置する外部空気吸込用の吸気口１０を設け、小風量の気流を送風ファンケーシング１Ｂ内に導入できるようにし、送風ファン４側方の吸込み流れを改善して、偏流に起因するＮＺ音のピーク値を低減することができるようにした。【選択図】        図６
2006038287.tif 000002
【特許請求の範囲】
【請求項１】
室外機ケーシング（１Ａ），（１Ｂ）と、該室外機ケーシング（１Ａ），（１Ｂ）内の下部に設けられた熱交換器（２）と、上記室外機ケーシング（１Ａ），（１Ｂ）の上部に下方から上方に空気を吹き出すように設けられた送風ファン（４）と、該送風ファン（４）の外周を囲むように設けられたベルマウス（８）とを備え、上記送風ファン（４）は、上記ベルマウス（８）の内側にあって、その羽根車の羽根（４ｂ），（４ｂ）・・・の上半分部分のみを上記ベルマウス（８）に対応させる一方、下半分部分を上記ベルマウス（８）から開放した状態で設けられているとともに、上記ベルマウス（８）および送風ファン（４）の上流部外周に上記室外機ケーシング（１Ａ），（１Ｂ）の側壁部が近接し、かつ上記送風ファン（４）の上流側の全周の少なくとも一側壁部に空気吸込口が設けられていない空気調和機用室外機において、上記室外機ケーシング（１Ａ），（１Ｂ）の上記空気吸込口がない側壁部の、上記ベルマウス（８）に対向しない送風ファン（４）の羽根車の羽根（４ｂ），（４ｂ）・・・に対応する位置に、所定風量の外部空気を吸入する吸気口（１０）を設けたことを特徴とする空気調和機用室外機ユニット。
【請求項２】
吸気口（１０）は、単一の開口（１０）により形成されていることを特徴とする請求項１記載の空気調和機用室外機ユニット。
【請求項３】
吸気口（１０）は、複数の開口（１０ａ），（１０ａ）・・・により形成されていることを特徴とする請求項１記載の空気調和機用室外機ユニット。
【請求項４】
吸気口（１０）は、全体として送風ファン（４）の外径に対応した幅を有して開口されていることを特徴とする請求項２又は３記載の空気調和機用室外機ユニット。
【請求項５】
熱交換器（２）が断面コの字形に形成されている一方、室外機ケーシング（１Ａ），（１Ｂ）は、長方形を含む断面方形の筒状体に形成され、上記断面コの字形の熱交換器（２）に対応して相互に隣接する側壁部の３面に空気吸込用の開口（１ａ），（１ｂ），（１ｃ）が設けられることにより、他の側壁部の１面が空気吸込用の開口のない面となっていることを特徴とする請求項１，２，３又は４記載の空気調和機用室外機ユニット。
【発明の詳細な説明】
【技術分野】
【０００１】
本願発明は、本願発明は、空気調和機用室外機ユニットの構造に関するものである。
【背景技術】
【０００２】
従来から空気調和機用の室外機ユニットとして、例えば上部側に送風ファンおよびファンケーシングよりなる送風ユニットがあり、下部側に水平断面形状が略コの字形の熱交換器と該熱交換器と対向する面側の制御ボックス、それらを収納する室外機本体ケーシングよりなる本体ユニットがある上吹き出しタイプの室外機ユニットが存在する。
【０００３】
そのような室外機ユニットの構成の一例を、例えば図９および図１０に示す。
【０００４】
先ず図中符号１は、同室外機ユニットである。この室外機ユニット１の室外機ケーシングは、熱交換器２および各種機器３ａ〜３ｃが設置される下部側本体ケーシング１Ａと送風ファン４が設置される上部側ファンケーシング１Ｂとからなっている。そして、構造上、その中心となる下部側本体ケーシング１Ａは、全体として左右方向に所定寸法長く、前後方向に所定寸法短かい断面長方形状をなし、上下方向に所定の高さを有する角筒状のものとなっている。
【０００５】
そして、この下部側本体ケーシング１Ａには必要な個所に必要な加工が施されて、例えば後壁面側の略全体には第１の空気吸込用開口部１ａが、また左右両壁面側の後壁面寄り略２／３部分には第２，第３の空気吸込用開口部１ｂ，１ｃが、さらに前壁面側にはメンテナンス用開口部１ｄがそれぞれ設けられている。上記第１，第２，第３の空気吸込用開口部１ａ，１ｂ，１ｃは、それら全体として、後述する熱交換器２の水平断面形状に対応して水平断面形状がコの字形（以下、単に断面コの字形という）をなすものとなっている。
【０００６】
そして、同全体として断面コの字形をなす後壁面側第１の空気吸込用開口部１ａおよび左右両壁面側第２，第３の空気吸込用開口部１ｂ，１ｃには、例えば図示のように、上記下部側本体ケーシング１Ａ内において、その底板部上から上記上方側ファンケーシング１Ｂとの境界線５部分まで延びて設置された水平断面形状がコの字形（以下、単に断面コの字形という）の熱交換器２の主たる熱交換器部である後壁面側第１，従たる熱交換器部である左右両壁面側第２，第３の各熱交換器部２ａ，２ｂ，２ｃの通風性のある熱交換面が臨まされている。
【０００７】
この熱交換器２は、上記各熱交換器部２ａ，２ｂ，２ｃが相互に一体の例えばプレートフィン型の空気熱交換器により構成されており、上記左側壁面側第３の空気吸込用開口部１ｃに対応する左側壁面側第３の熱交換器部２ｃと後壁面側第１の空気吸込用開口部１ａに対応する後壁面側第１の熱交換器部２ａとは上記下部側本体ケーシング１Ａのコーナ角（９０°）に対応したコーナ角θ1＝略９０°の角度で曲成されているが、他方第２の空気吸込用開口部１ｂに対応する第３の熱交換器部２ｂは同後壁面側第１の熱交換器部２ａに対してコーナ角θ2＝１００°〜１１０°の大きな角度で外側に広げて曲成されている。これにより、当該室外機ユニット１の右壁面側を建物の壁面側に接して据え付けたり、２台隣接して設置したりしたような時にも、それら相互の間に有効な空気吸込スペースを取ることができるようにしている。
【０００８】
一方、上記前壁面側メンテナンス用の開口部１ｄには、必要な開閉扉が設けられ、同前壁面部は、全く空気吸込用の開口部がない盲壁となっている。
【０００９】
また、上記下部側本体ケーシング１Ａ内の上記底板部の前面部側上方には、例えば図示のように、圧縮機他の各種機器３ａ〜３ｃが設置される機器室およびサービススペース６が設けられており、同機器室およびサービススペース６の風が通りやすく冷却効果の高い上方部位置には、その前壁面側左右方向中央部に位置して所定幅左右方向に延びる所定奥行幅の制御ボックス７が、上記メンテナンス用の開口部１ｄを介して前方側外部から点検操作しやすいようにスペースファクター良く設置されている。
【００１０】
そして、以上のようにして後壁面側（長辺部側）、左右両壁面側（短辺部側）の３面に亘って同じく長辺部、短辺部を有する断面コの字形の熱交換器２が設けられ、同断面コの字形の熱交換器２（長辺部２ａ，短辺部２ｂ，短辺部２ｃ）および各種機器３ａ〜３ｃが設けられた上記下部側本体ケーシング１Ａの上部には、さらに図１０のような状態で、やはり断面長形状の角筒状の上部側ファンケーシング１Ｂが、例えば嵌合等の方法により一体に設けられており、同ファンケーシング１Ｂ内中央のファン設置部には、所定のファン支持手段を介して例えばプロペラファン等の軸流型の送風ファン４が上下方向に延びて設置されている。
【００１１】
なお、図中の符号４ａは当該送風ファン４のハブ、４ｂは同送風ファン４の複数枚の羽根、９は同送風ファン４のファンモータ、９ａは同ファンモータ９の送風ファン回転駆動軸を示している。
【００１２】
そして、上記のように、熱交換器２および各種機器３ａ〜３ｃが設置される断面長方形状の下部側本体ケーシング１Ａ部分と送風ファン４が設置される上記上部側ファンケーシング１Ｂ部分とは、略上記ファンモータ９ａ部分を基準として下方と上方に区分されており、上記上部側ファンケーシング１Ｂも、上述のごとくその下部から上方に向けて、その水平断面形状が同様の長方形状のものとなっている。そして、その上部部分の左右方向中央位置内側には略円筒形状のベルマウス８が、前後方向の幅一ぱいに設けられている。そして、同状態において、さらに上記送風ファン４は、静圧よりも風量アップを狙って、図１１、図１２に示すように、当該ベルマウス８の内側に、その羽根車の羽根４ｂ，４ｂ・・・の上半分部分のみを同ベルマウス８に対応させる一方、下半分部分をベルマウス８から開放した状態で設けられている。
【００１３】
そして、それによって、上記ベルマウス８を有する上記上部側ファンケーシング１Ｂの外径を、上記下部側本体ケーシング１Ａの短辺部の幅と同等の径まで拡大することによって、上記設置される送風ファン４の羽根車の外径を可及的に大きくすることにより、上記送風ファン４の羽根車が、上記断面コの字形の熱交換器２の上端面よりも上方に位置し、例えば図１０に示すように、上記断面コの字形の熱交換器２の上端部まで上下方向に重なったクロスオーバー状態で設置されている。そして、それによって、可及的に大きな径の羽根車を採用できるようにして十分に送風性能のアップを実現しながらも、なお有効に室外機ユニット１本体の小型、コンパクト化が図られるようにしている。
【００１４】
そして、その場合において、上記ベルマウス８は、その空気吹出口８ｂ側および空気吸込口８ａ側共に所定の曲率半径の断面形状となっていて、当該ベルマウス８部分への最適な空気の進入角とベルマウス８部分からの最適な空気の導出角とが実現されている。
【００１５】
しかし、該空気調和機用室外機ユニット１では、そのようにした結果、上記送風ファン４の外周部および上流側に、上記上部側ファンケーシング１Ｂの前壁面および後壁面が近接して配置されることになり、しかも、上記前壁面は空気吸込用の開口がない盲壁構造に形成されていることから、上記送風ファン４の上流側にはその後壁面側と左右両壁面の３面方向にしか空気の吸込み口が無い。したがって、そのままでは、上記送風ファン４の空気吸込み流量が周方向に偏流することになる。そして、吸込み流量が不足する前壁面側部分において、上記送風ファン４の翼面近傍の乱れが増大して、翼面圧力変動が増大し、それによって周方向に局所的に騒音が増大し、特にＮＺ音（Ｎ：回転数、Ｚ：羽根枚数）が増大するという問題があった。
【００１６】
また、同構成では、上記のように、風量アップの見地から送風ファン４の羽根車の空気流上流側下半分部分がベルマウス８で囲われていない半開放型の構成とし、特に羽根４ｂ，４ｂ・・・側方からの吸気量を増大させるようにしているので、送風ファン４の羽根車側面からの吸込み気流の量が、その空力性能・騒音性能にとって、特に重要となる。
【００１７】
そこで、このような問題に対し、従来は、例えば図１１および図１２に示すように、送風ファン４の羽根車の羽根４ｂ，４ｂ・・・の上流側部分に外部空気吸込用の吸気口２０を設けて、羽根４ｂ，４ｂ・・・の前方から上記不足する吸込み空気流量を補う方法を採用していた（特許文献１参照）。
【００１８】
このようにすると、全体として空気の流入風量が増加する結果、或る程度は風量特性を向上させることができる。
【００１９】
【特許文献１】特開平１１−３０４１９６号公報（第１〜第４頁、図１〜図５参照）。
【発明の開示】
【発明が解決しようとする課題】
【００２０】
しかし、従来のような送風ファン４の羽根車の羽根４ｂ，４ｂ・・・の上流側に吸気口２０を設けた構成では、例えば図１２からも明らかなように、前壁面が空気吸込用の開口がない盲壁構造に形成されていることから、やはり送風ファン４の羽根車の羽根４ｂ，４ｂ・・・側方部に空気流が供給されないため、上記偏流改善によるＮＺ音の低減効果が小さく、有効な解決にはなっていない。
【００２１】
本願発明は、このような問題を解決するためになされたもので、室外機ケーシングの空気吸込み流量が不足する部分において、ファン側方へ適切に外気を供給できる位置に吸気口を設け、小風量の気流を効果的にファンケーシング内に導入できるようにし、ファン側方の吸込み流れを改善して、偏流に起因するＮＺ音のピーク値を効果的に低減することができるようにした空気調和機用室外機ユニットを提供することを目的とするものである。
【課題を解決するための手段】
【００２２】
本願発明は、上記の目的を達成するために、次のような課題解決手段を備えて構成されている。
【００２３】
（１）  第１の課題解決手段
この発明の第１の課題解決手段は、室外機ケーシング１Ａ，１Ｂと、該室外機ケーシング１Ａ，１Ｂ内の下部に設けられた熱交換器２と、上記室外機ケーシング１Ａ，１Ｂの上部に下方から上方に空気を吹き出すように設けられた送風ファン４と、該送風ファン４の外周を囲むように設けられたベルマウス８とを備え、上記送風ファン４は、上記ベルマウス８の内側にあって、その羽根車の羽根４ｂ，４ｂ・・・の上半分部分のみを上記ベルマウス８に対応させる一方、下半分部分を上記ベルマウス８から開放した状態で設けられているとともに、上記ベルマウス８および送風ファン４の上流部外周に上記室外機ケーシング１Ａ，１Ｂの側壁部が近接し、かつ上記送風ファン４の上流側の全周の少なくとも一側壁部に空気吸込口が設けられていない空気調和機用室外機において、上記室外機ケーシング１Ａ，１Ｂの上記空気吸込口がない側壁部の、上記ベルマウス８に対向しない送風ファン４の羽根車の羽根４ｂ，４ｂ・・・に対応する位置に、所定風量の外部空気を吸入する吸気口１０を設けたことを特徴としている。
【００２４】
このような構成によると、送風ファン４の吸込み流量が不足する本体ケーシング１Ａ，１Ｂ一側面側のベルマウス８の空気吸込口８ａよりも下方の上記送風ファン４の側方部（下半分部分）に対応する部分に、外部空気吸込用の吸気口１０が設けられており、それによって小風量の外部気流を上記室外機ケーシング１Ａ，１Ｂ内のベルマウス吸気口８ａ部分に導入できるようにし、上記送風ファン４側方の吸込み流れを有効に改善して、従来の偏流に起因するＮＺ音のピーク値を、効果的に低減することができるようになる。
【００２５】
その結果、同構成によれば、送風ファン４の同一運転回転数において、有効にＮＺ音のピークを低減することができる。しかも、この時、新たに追加した吸気口１０部分以外の部分から流入する吸入風量には、低減がほとんど無いため、何ら送風能力を低下させることなく、ＮＺ音だけを有効に低減させることが可能となる。
【００２６】
したがって、上述した室外機ケーシング１Ａ，１Ｂの本来のコンパクト性は、そのまま維持することができる。
【００２７】
（２）  第２の課題解決手段
この発明の第２の課題解決手段は、上記第１の課題解決手段の構成において、吸気口１０は、単一の開口１０により形成されていることを特徴としている。
【００２８】
このような構成によると、例えば上記室外機ケーシング１Ａ，１Ｂの送風ファン４の羽根車の羽根４ｂ，４ｂ・・・のベルマウス８に対応しない部分の側方に位置して、単一の開口よりなる吸気口１０が形成され、同吸気口１０を介して上記送風ファン４の羽根車側方に適切に適切な量の外部空気が供給される。
【００２９】
その結果、同単一の開口よりなる吸気口１０によって、送風ファン４の吸気流量が不足する羽根車側方の吸込風量が増大して偏流が解消され、効果的にＮＺ音が低減される。
【００３０】
（３）  第３の課題解決手段
この発明の第３の課題解決手段は、上記第１の課題解決手段の構成において、吸気口１０は、複数の開口１０ａ，１０ａ・・・により形成されていることを特徴としている。
【００３１】
このような構成によると、例えば上記室外機ケーシング１Ａ，１Ｂの送風ファン４の羽根車の羽根４ｂ，４ｂ・・・のベルマウス８に対応しない部分の側方に位置して、複数の開口１０ａ，１０ａ・・・よりなる吸気口１０が形成され、同複数の開口１０ａ，１０ａ・・・よりなる吸気口１０を介して送風ファン４の羽根車側方に適切に適切な量の外部空気が供給される。
【００３２】
その結果、同複数の開口１０ａ，１０ａ・・・よりなる吸気口１０によって、送風ファン４の吸気流量が不足する羽根車側方の吸込風量が増大して偏流が解消され、効果的にＮＺ音が低減される。
【００３３】
また、１つ１つの穴径が小さくなるので、指や異物の侵入を防止することができる。
【００３４】
（４）  第４の課題解決手段
この発明の第４の課題解決手段は、上記第２又は第３の課題解決手段の構成において、吸気口１０は、全体として送風ファン４の外径に対応した幅を有して開口されていることを特徴としている。
【００３５】
このような構成によると、送風ファン４の外径に対応した幅の有効な吸気口１０により、吸気量が不足する室外機ケーシング１Ａ，１Ｂ一側面側の吸気流量が、送風ファン４の羽根車外径に対応して均等かつ十分に増量される。
【００３６】
（５）  第５の課題解決手段
この発明の第５の課題解決手段は、上記第１，第２，第３又は第４の課題解決手段の構成において、熱交換器２が断面コの字形に形成されている一方、室外機ケーシング１Ａ，１Ｂは、長方形を含む断面方形の筒状体に形成され、上記断面コの字形の熱交換器２に対応して相互に隣接する側壁部の３面に空気吸込用の開口１ａ，１ｂ，１ｃが設けられることにより、他の側壁部の１面が空気吸込用の開口のない面となっていることを特徴としている。
【００３７】
一般に空気調和機用室外機ユニットでは、熱交換器２が断面コの字形に形成される一方、室外機ケーシング１Ａ，１Ｂは、長方形を含む断面方形の筒状体に形成され、上記断面コの字形の熱交換器２に対応して相互に隣接する側壁部の３面に空気吸込用の開口１ａ，１ｂ，１ｃが設けられることにより、他の側壁部の１面が空気吸込用の開口のない面となる構造のものが多く採用されている。
【００３８】
そして、このようなタイプのものでは、大風量かつコンパクト化の見地から、上記同様の送風ファン４の上流側に、上記室外機ケーシング１Ａ，１Ｂの前壁面および後壁面が近接して配置されることが多く、しかも、上記前壁面は空気吸込用の開口がない盲壁構造に形成されることから、上記送風ファン４の上流側にはその後壁面側と左右両壁面の３面方向にしか空気の吸込み口が無い状態となる。
【００３９】
したがって、そのままでは、上記送風ファン４の空気吸込み流量が周方向に偏流することになる。そして、吸込み流量が不足する前壁面側部分において、上記送風ファン４の翼面近傍の乱れが増大して、翼面圧力変動が増大し、それによって周方向に局所的に騒音が増大し、特にＮＺ音が増大するという問題が生じやすい。
【００４０】
したがって、上記の発明の第１，第２，第３又は第４の課題解決手段が特に有効となる。
【発明の効果】
【００４１】
以上の結果、本願発明によれば、従来の構成と異なり、送風ファンの同一運転回転数において、有効にＮＺ音のピーク値を低減することができるようになる。しかも、この時、上記追加した吸気口部以外の部分から流入する本来の吸入風量については、殆ど低減が無いため、本来の送風能力を低下させることなく、ＮＺ音だけを効果的に低減させることが可能となる。
【００４２】
したがって、室外機ケーシングの本来のコンパクト性は、そのまま維持することができる。
【発明を実施するための最良の形態】
【００４３】
先ず図１〜図６は、本願発明の最良の実施の形態に係る空気調和機用室外機ユニットの構成を示している。
【００４４】
図中符号１は、同室外機ユニットである。この室外機ユニット１の室外機ケーシングは、熱交換器２および各種機器３ａ〜３ｃが設置される下部側本体ケーシング１Ａと送風ファン４が設置される上部側ファンケーシング１Ｂとからなっている。そして、構造上、その中心となる下部側本体ケーシング１Ａは、全体として左右方向に所定寸法長く、前後方向に所定寸法短かい断面長方形状をなし、上下方向に所定の高さを有する角筒状のものとなっている。
【００４５】
そして、この下部側本体ケーシング１Ａには必要な個所に必要な加工が施されて、例えば後壁面側の略全体には第１の空気吸込用開口部１ａが、また左右両壁面側の後壁面寄り略２／３部分には第２，第３の空気吸込用開口部１ｂ，１ｃが、さらに前壁面側にはメンテナンス用開口部１ｄがそれぞれ設けられている。上記第１，第２，第３の空気吸込用開口部１ａ，１ｂ，１ｃは、それら全体として、後述する熱交換器２の水平断面形状に対応して水平断面形状がコの字形（以下、単に断面コの字形という）をなすものとなっている。
【００４６】
そして、同全体として断面コの字形をなす後壁面側第１の空気吸込用開口部１ａおよび左右両壁面側第２，第３の空気吸込用開口部１ｂ，１ｃには、例えば図示のように、上記下部側本体ケーシング１Ａ内において、その底板部上から上記上方側ファンケーシング１Ｂとの境界線５部分まで延びて設置された水平断面形状がコの字形（以下、単に断面コの字形という）の熱交換器２の主たる熱交換器部である後壁面側第１，従たる熱交換器部である左右両壁面側第２，第３の各熱交換器部２ａ，２ｂ，２ｃの通風性のある熱交換面が臨まされている。
【００４７】
この熱交換器２は、上記各熱交換器部２ａ，２ｂ，２ｃが相互に一体の例えばプレートフィン型の空気熱交換器により構成されており、上記左側壁面側第３の空気吸込用開口部１ｃに対応する左側壁面側第３の熱交換器部２ｃと後壁面側第１の空気吸込用開口部１ａに対応する後壁面側第１の熱交換器部２ａとは上記下部側本体ケーシング１Ａのコーナ角（９０°）に対応したコーナ角θ1＝略９０°の角度で曲成されているが、他方第２の空気吸込用開口部１ｂに対応する第３の熱交換器部２ｂは同後壁面側第１の熱交換器部２ａに対してコーナ角θ2＝１００°〜１１０°の大きな角度で外側に広げて曲成されている。これにより、当該室外機ユニット１の右壁面側を建物の壁面側に接して据え付けたり、２台隣接して設置したりしたような時にも、それら相互の間に有効な空気吸込スペースを取ることができるようにしている。
【００４８】
一方、上記前壁面側メンテナンス用の開口部１ｄには、必要な開閉扉が設けられ、同前壁面部は、全く空気吸込用の開口部がない盲壁となっている。
【００４９】
また、上記下部側本体ケーシング１Ａ内の上記底板部の前面部側上方には、例えば図示のように、圧縮機他の各種機器３ａ〜３ｃが設置される機器室およびサービススペース６が設けられており、同機器室およびサービススペース６の風が通りやすく冷却効果の高い上方部位置には、その前壁面側左右方向中央部に位置して所定幅左右方向に延びる所定奥行幅の制御ボックス７が、上記メンテナンス用の開口部１ｄを介して前方側外部から点検操作しやすいようにスペースファクター良く設置されている。
【００５０】
そして、以上のようにして後壁面側（長辺部側）、左右両壁面側（短辺部側）の３面に亘って同じく長辺部、短辺部を有する断面コの字形の熱交換器２が設けられ、同断面コの字形の熱交換器２（長辺部２ａ，短辺部２ｂ，短辺部２ｃ）および各種機器３ａ〜３ｃが設けられた上記下部側本体ケーシング１Ａの上部には、さらに図１〜図３および図４のような状態で、やはり断面長形状の角筒状の上部側ファンケーシング１Ｂが、例えば嵌合等の方法により一体に設けられており、同ファンケーシング１Ｂ内中央のファン設置部には、所定のファン支持手段を介して例えばプロペラファン等の軸流型の送風ファン４が上下方向に延びて設置されている。
【００５１】
なお、図中の符号４ａは当該送風ファン４のハブ、４ｂは同送風ファン４の複数枚の羽根、９は同送風ファン４のファンモータ、９ａは同ファンモータ９の送風ファン回転駆動軸を示している。
【００５２】
そして、上記のように、熱交換器２および各種機器３ａ〜３ｃが設置される断面長方形状の下部側本体ケーシング１Ａ部分と送風ファン４が設置される上記上部側ファンケーシング１Ｂ部分とは、略上記ファンモータ９ａ部分を基準として下方と上方に区分されており、上記上部側ファンケーシング１Ｂも、上述のごとくその下部から上方に向けて、その水平断面形状が同様の長方形状のものとなっている。そして、その上部部分の左右方向中央位置内側には略円筒形状のベルマウス８が、例えば図３、図４に示すように、前後方向の幅一ぱいに設けられている。そして、同状態において、さらに上記送風ファン４は、静圧よりも風量のアップを狙って、図２、図３に示すように、当該ベルマウス８の内側に、その羽根車の羽根４ｂ，４ｂ・・・の上半分部分のみを同ベルマウス８に対応させる一方、下半分部分をベルマウス８から開放した半開放状態で設けられている。
【００５３】
そして、それによって、上記ベルマウス８を有する上記上部側ファンケーシング１Ｂの外径を、上記下部側本体ケーシング１Ａの短辺部の幅と同等の径まで拡大することによって、上記設置される送風ファン４の羽根車の外径を可及的に大きくすることにより、上記送風ファン４の羽根車が、上記断面コの字形の熱交換器２の上端面よりも上方に位置し、例えば図４に示すように、上記断面コの字形の熱交換器２の上端部まで上下方向に重なったクロスオーバー状態で設置されている。そして、それによって、可及的に大きな径の羽根車を採用できるようにして十分に送風性能のアップを実現しながらも、なお有効に室外機ユニット１本体の小型、コンパクト化が図られるようにしている。
【００５４】
そして、その場合において、上記ベルマウス８は、その空気吹出口８ｂ側および空気吸込口８ａ側共に所定の曲率半径の断面形状となっていて、当該ベルマウス８部分への最適な空気の進入角とベルマウス８部分からの最適な空気の導出角とが実現されている。
【００５５】
しかし、該空気調和機用室外機ユニット１では、そのようにした結果、上記送風ファン４の外周部および上流側に、上記上部側ファンケーシング１Ｂの前壁面および後壁面が近接して配置されることになり、しかも、上記前壁面は空気吸込用の開口がない盲壁構造に形成されていることから、上記送風ファン４の上流側にはその後壁面側と左右両壁面の３面方向にしか空気の吸込み口が無い状態となる。したがって、そのままでは、上記送風ファン４の空気吸込み流量が周方向に偏流することになる。そして、吸込み流量が不足する前壁面側部分において、上記送風ファン４の翼面近傍の乱れが増大して、翼面圧力変動が増大し、それによって周方向に局所的に騒音が増大し、特にＮＺ音が増大するという問題があった。
【００５６】
また、同構成では、上記のように、風量アップの見地から送風ファン４の羽根車の空気流上流側下半分部分がベルマウス８で囲われていない半開放型の構成とし、特に羽根４ｂ，４ｂ・・・側方からの吸気量を増大させるようにしているので、送風ファン４の羽根車側面からの吸込み気流の量が、その空力性能・騒音性能にとって、特に重要となる。
【００５７】
そこで、このような問題に対し、従来は、前述の図１１および図１２に示したように、送風ファン４の羽根車の羽根４ｂ，４ｂ・・・の上流側部分（前縁部より前方）に外部空気吸込用の吸気口２０を設けて、羽根４ｂ，４ｂ・・・の前縁部前方から上記不足する吸込み空気流量を補う方法を採用していた。
【００５８】
このようにすると、全体として空気の流入風量が増加する結果、或る程度は風量特性を向上させることができる。
【００５９】
しかし、このような送風ファン４の羽根車の羽根４ｂ，４ｂ・・・の前縁部よりも上流側に設けた吸気口２０では、図１２から明らかなように、送風ファン４の羽根車の羽根４ｂ，４ｂ・・・側方部に空気流が供給されないため、上記偏流改善によるＮＺ音の低減効果が小さく、有効な解決にはなっていない。
【００６０】
そこで、この最良の実施の形態では、このような問題を解決するために、例えば図１〜図４に示すように、特に上記送風ファン４の吸込み流量が不足する上記本体ケーシング１Ａの盲壁構造の前面壁に対応する上記ファンケーシング１Ｂの前面壁部分であって、しかもベルマウス８の吸気口８ａより下方の上記送風ファン４の側方部（下半分部分）に対応する部分に、外部空気吸込用の吸気口１０を設け、それによって図３に示すように、矢線のように小風量の外部気流を上記ファンケーシング１Ｂ内のベルマウス空気吸込口８ａ部分に導入できるようにし、上記送風ファン４側方の吸込み流れを有効に改善して、上記偏流に起因するＮＺ音のピーク値を、効果的に低減することができるようにしている。
【００６１】
なお、上記外気吸込用の吸気口１０は、横方向に長いスリット構造の複数の吸気口１０ａ，１０ａ・・・よりなり、例えば図１〜図４に示すように、指の挿入又は異物の侵入等を避けるために、送風ファン４（ベルマウス８）の外径に対応して、その幅方向および上下方向に各々複数個（図示の例では、幅方向に３個、上下方向に２個の合計６個）並設して設け、その設置場所と設置個数によって、必要な部分に必要かつ十分な吸入空気量が得られるようにしている。
【００６２】
そして、この横方向に長いスリット構造の複数の吸気口１０ａ，１０ａ・・・は、より好ましくは、その開口位置を変えることなく、鎧戸構造にして雨水の侵入を避けるような構成が採用される。
【００６３】
以上の結果、本実施の形態の構成によれば、送風ファン４の同一運転回転数において、有効にＮＺ音のピークを低減することができる。しかも、この時、新たに追加した吸気口１０（１０ａ，１０ａ・・・）部分以外の部分から流入する吸入風量には、低減がほとんど無いため、何ら送風能力を低下させることなく、ＮＺ音だけを有効に低減させることが可能となる。
【００６４】
したがって、上述した室外機ケーシング（１Ａ，１Ｂ）の本来のコンパクト性は、そのまま維持することができる。
【００６５】
ここで、今例えば従来の外部空気吸込用の開口が全くない構成の場合と、従来の外部空気吸込用の吸気口２ａを設けた構成の場合、本実施の形態の構成による吸気口１０（１０ａ，１０ａ・・・）の場合の、それぞれ３つの場合について、ＮＺ音を測定して見ると、図７の棒グラフのようになり、吸気口がないものは素より、従来の送風ファン４の羽根車上流側に吸気口２０を設けたものに比べても、本実施の形態のようにベルマウス８の空気吸込口８ａよりも上流側であって、しかもベルマウス８と対応しない下半分側送風ファン４の羽根車の羽根４ｂ，４ｂ・・・の側方に外部空気吸込用の吸気口１０を設けたものの方が、大幅にＮＺ音を低減できることが分かる。
【００６６】
また、同従来の吸気口２０を備えたものと本実施の形態の吸気口１０を備えたものとの所定周波数帯域毎のＮＺ音を測定して見ると、例えば図８のグラフのようになり、５００Ｈｚ以下の最も騒音上問題になりやすいＮＺ音のピーク値を最大で１０ｄＢ程度まで大きく低減できることが分かる。
【００６７】
（変形例１）
なお、上記外気吸込用の吸気口１０は、以上の実施の形態の場合、例えば図１〜図４に示すように、指の挿入又は異物の侵入等を避けるために、送風ファン４（ベルマウス８）の外径に対応して、その幅方向および上下方向に横長のスリットよりなる吸気口１０ａ，１０ａ・・・を各々複数個（幅方向に３個、上下方向に２個の合計６個）設けることによって形成し、その個数によって必要かつ十分な吸入空気量が得られるようにした。
【００６８】
このような観点から形成される複数の吸気口１０ａ，１０ａ・・・は、何も上述のような横長のスリットに限られる訳ではなく、例えば楕円形又は円形等の多孔構造のものであってもよいことは言うまでもない。
【００６９】
（変形例２）
また、上記外気吸込用の吸気口１０は、以上の実施の形態および変形例１の場合、例えば指の挿入又は異物の侵入等を避けるために、送風ファン４（ベルマウス８）の外径に対応して、その幅方向および上下方向に各々複数個（幅方向に３個、上下方向に２個の合計６個）の開口部又は開孔部を設けることによって形成し、その設置個数等によって必要な部分に必要かつ十分な吸入空気量が得られるようにした。
【００７０】
しかし、該吸気口１０は、例えば図５および図６に示すように、送風ファン４の外径幅に対応して１個だけ形成するようにしてもよいことは言うまでもない。
【００７１】
このようにした場合にも必要な部分に必要かつ十分な開口面積を確保することにより、必要な部分に必要な吸入空気量を供給することができ、例えば図６の矢線に示すように、上述した送風ファン４側方の吸込み流れが効果的に改善され、偏流に起因するＮＺ音のピーク値を有効に低減することができる。
【図面の簡単な説明】
【００７２】
【図１】本願発明の最良の実施の形態１に係る空気調和機用室外機ユニットの上下方向全体の構成を示す斜視図である。
【図２】同室外機ユニットの正面図である。
【図３】同室外機ユニットの右側面図である。
【図４】同室外機ユニットの平面図である。
【図５】同室外機ユニットの要部の構成を示す概略正面図である。
【図６】同室外機ユニットの要部の構成と作用を示す概略断面図である。
【図７】従来の外部空気吸込用の開口がない構成の場合と、従来の外部空気吸込用の開口を設けた構成の場合、そして本実施の形態の構成による外部空気吸込用の開口の場合の、それぞれ３つの場合の測定ＮＺ音のレベルを対比して示したグラフである。
【図８】従来の外部空気吸込用の開口と本実施の形態の外部空気吸込用開口とのＮＺ音の低減効果を周波数毎に対比したグラフである。
【図９】従来の空気調和機用室外機ユニットの上下方向全体の構成を示す断面図である。
【図１０】同室外機ユニットの平面図である。
【図１１】同室外機ユニットの要部の構成を示す概略正面図である。
【図１２】同室外機ユニットの要部の構成と作用を示す概略断面図である。
【符号の説明】
【００７３】
１は室外機ユニット、１Ａは下部側本体ケーシング、１Ｂは上部側ファンケーシング、１ａは後壁面側空気吸込用開口部、１ｂは右壁面側空気吸込用開口部、１ｃは左壁面側空気吸込用開口部、２は断面コの字形の熱交換器、２ａは後壁面側熱交換器部、２ｂは右壁面側熱交換器部、２ｃは左壁面側熱交換器部、４は送風ファン、４ａはハブ、４ｂは羽根、８はベルマウス、８ａは空気吸込口、８ｂは空気吹出口、１０は外部空気吸込用の吸気口である。
【図１】
2006038287.tif 000003
【図２】
2006038287.tif 000004
【図３】
2006038287.tif 000005
【図４】
2006038287.tif 000006
【図５】
2006038287.tif 000007
【図６】
2006038287.tif 000008
【図７】
2006038287.tif 000009
【図８】
2006038287.tif 000010
【図９】
2006038287.tif 000011
【図１０】
2006038287.tif 000012
【図１１】
2006038287.tif 000013
【図１２】
2006038287.tif 000014